【事件の表示】
　平成　９年特許願第２７３０９９号「移動無線端末装置及びその制御方法」拒絶査定不服審判事件〔平成１１年　４月２３日出願公開、特開平１１−１１３０６２〕について、次のとおり審決する。
【結　論】
　本件審判の請求は、成り立たない。
【理　由】
１．手続の経緯
　本願は、平成９年１０月６日の出願であって、平成１５年１２月８日，平成１６年５月２４日付提出の各手続補正書によって補正されたものであって、これに対して、当審で平成１７年８月１２日付で拒絶の理由が通知され、平成１７年１０月１７日付で意見書が提出されたものである。
　
２．本願発明１乃至４
　本願明細書の特許請求の範囲の請求項１乃至４の記載の発明は、平成１６年５月２４日付提出の手続補正書によって補正された特許請求の範囲の請求項１乃至４に記載されたものであるところ、請求項２及び４に記載の発明は、以下のとおりである。
　
　「【特許請求の範囲】
　【請求項２】　通信相手の発番号を予め記憶手段に記憶し、該記憶手段に記憶された発番号の内の特定の発番号に保秘設定が可能な保秘設定モードを有するとともに、着信時に発信側から通知された発番号を表示する表示手段を有する移動無線端末装置において、
　発信側から着信時に通知された発番号が前記記憶手段で保秘設定されているか否かを判定する判定手段と、
　前記判定手段により前記発番号に保秘設定がなされていると判定された場合は、前記表示手段での当該発番号に関する表示を禁止する表示制御手段と
　を具備することを特徴とする移動無線端末装置。
　【請求項４】　通信相手の発番号を予め記憶手段に記憶し、該記憶手段に記憶された発番号の内の特定の発番号に保秘設定が可能な保秘設定モードを有するとともに、着信時に発信側から通知された発番号を表示する表示手段を有する移動無線端末装置の制御方法において、
　発信側から着信時に通知された発番号が前記記憶手段で保秘設定されているか否かを判定手段により判定し、
　前記判定手段により前記発番号に保秘設定がなされていると判定された場合は、前記表示手段での当該発番号に関する表示を表示制御手段により禁止する
　ことを特徴とする移動無線端末装置の制御方法。」（以下、これらをそれぞれ「本願発明２及び４」という）
　
３．当審での拒絶理由及びそれに対する請求人の応答について
（１）当審で平成１７年８月１２日付けで通知した拒絶理由の概要は、以下のとおりである。
　「　　　　　　　　　　　　　　　　理　由
　本件出願の下記の請求項に係る発明は、その出願前日本国内または外国において頒布された下記の刊行物に記載された発明に基づいて、その出願前にその発明の属する技術の分野における通常の知識を有する者が容易に発明をすることができたものであるから、特許法第２９条第２項の規定により特許を受けることができない。 
　　　　　　　　　　　　　　　　　　　記 
引用文献１．実公平５−３７５７２号公報（実願昭６１−１８４５３１号の公告公報）
　　　　２．特開平７−３０６３１号公報
　　　　３．特開平８−２３７７１０号公報
（以下、略）」
　
（２）審判請求人の応答
　上記拒絶理由に対して、審判請求人は、平成１７年１０月１７日付けで意見書を提出し、概要、以下のように主張している。
　
　請求項１の相違点（ａ）については、
　「引用文献１に記載の発明に引用文献２の発明および上記周知の事項を適用することによって、通信相手の発番号に対応する識別情報をあらかじめ記憶手段に記憶し、該記憶手段に記憶された識別情報のうちの特定の発番号に対応する識別情報に保秘設定が可能な保秘設定モードを有するとともに、通信相手の識別情報を表示する表示手段を有するものにおいて、発番号に対応する識別情報が前記記憶手段で保秘設定されているか否かを判定する判定手段と、前記判定手段により前記識別情報に保秘設定がなされている場合は、当該識別情報に関することを禁止する禁止制御手段を具備することによって、当該保秘設定された識別情報が他人に知られることを防ぐことを特徴する移動無線端末装置が当業者により容易に発明できたものであるとする認定は認める。
　しかし、このような構成においては、保秘設定がされていると、発信時に、発信履歴に識別情報を記憶されないようにすることができるだけで、本願請求項１に係る発明のように、保秘設定がされていると、着信時に、発信側から通知された発番号に対応する識別情報が着信者の表示装置に表示されないように制御することはできない。」
　
　相違点（ｂ）については、
　「引用文献３は、発信機能を有さないページャに関するものであるので、引用文献１のように、発信に係わるデータをリダイヤルデータ記憶部に記憶して再発呼に利用するリダイヤル機能に対応する記載はない。
　また、引用文献１は、トーンダイヤラに関するものであるので、引用文献３に記載したような受信メッセージをデータバンクに予め記憶したメッセージを引用して表示する表示する構成の記載はない。
　したがって、引用文献３に記載された構成を引用文献１にそのまま適用することはできないのは明らかである。
　この点において、まず、引用文献３に記載された構成を引用文献１に適用することで本願請求項１に係る発明は容易であるとする審判官殿のご認定には明らかに無理がある。」
　
　「引用文献３には、引用文献１に記載したリダイヤルデータ記憶部に対応するものの記載ない。
　したがって、引用文献１において、リダイヤルデータ記憶部に記憶したデータを第３者に対して隠すことができる構成が示唆されていたとしても、引用文献３に記載された構成を引用文献１に適用することはできず、引用文献１および引用文献３に基づき本願請求項１に係る発明が容易に想到し得たとはいえない。
　更に、引用文献１のリダイヤルデータ記憶部を引用文献３のデータバンクに対応させてみても、引用文献１のリダイヤルデータ記憶部は、発信に係わるデータを記憶するものであるのに対して、引用文献３のデータバンクは、受信メッセージを表示するために引用するメッセージを記憶するものであり、また、引用文献３のデータバンクは、個々のメッセージに対して非表示フラグを設定することができるのに対して、引用文献１のリダイヤルデータ記憶部はこのように構成されていない。
　そもそも、引用文献１のリダイヤルデータ記憶部は、再発呼を容易にするためにもうけられたものであるのに対して、引用文献３のデータバンクは、送信側におけるメッセージの入力を容易にするために設けられたものであり、その用途が全く異なり、また、引用文献１のリダイヤルデータ記憶部は、ダイヤルトーンを発生させる場合に、このダイヤルトーンに係わるデータを記憶するものであるのに対して、引用文献３のデータバンクは、送信側におけるメッセージの入力を容易にするために、受信メッセージに含まれる短縮番号により指定されるメッセージを予め記憶するものであり、その記憶情報が全く異なる。
　したがって、引用文献１のリダイヤルデータ記憶部を引用文献３のデータバンクで置き換えること自体に明らかに無理がある。」
　
　「引用文献３のものは、本願発明でいう着信時に発信側から通知された発番号を用いて該発番号に対応する識別情報を表示するか否かを制御する構成は有していず、受信メッセージに含まれる短縮番号（予め記憶された所定のメッセージを指定する番号）で引用されるメッセージを表示するか否かを制御しているだけである。」
　
　又、本願請求項２乃至４については、
　「本願請求項１の発明は、引用文献１乃至３に基づき容易に想到し得たとはいい難いので、同様の理由により本願請求項２乃至４の発明も引用文献１乃至３に基づき容易に想到し得たとはいい難い。」
　
４．引用文献１〜３に記載の発明
（１）上記当審での拒絶の理由に引用された引用文献３（特開平８−２３７７１０号公報）には、図面と共に、以下のように記載されている。
　
　「【０００１】
【産業上の利用分野】本発明は、ページャ等の情報を表示する情報表示装置に関する。
【０００２】
【従来の技術】現在、送信側から送られてきたメッセージを受信側で表示することが出来るページャ等の情報表示装置を備えたポケットベルが広く普及している。
【０００３】このような従来のポケットベル等に使用されているページャ等の情報表示装置では、自分の装置に着信した情報はどの情報も区別することなく全て表示していた。
【０００４】
【発明が解決しようとする課題】しかしながら、ページャ等の情報表示装置の所有者の中には送信されてくる情報を全て表示されては都合の悪い場面に出くわす人もいた。
【０００５】また、個人的に他人には見られたくないプライベートな情報も見られる可能性があり、例えば、情報表示装置に自分の仕事上の取引関係の情報が送られてくるようにしていた人は、第三者にこれを見られるようなことが可能性としてあった。従って、第三者に見られることを嫌って情報表示装置の使用を控える場合もあり、情報表示装置の利用可能性を狭くする側面を有していた。
【０００６】従って、本発明の目的は、送信側から送られてくる情報を選択的に表示する、より一層利用可能性の高い情報表示装置を提供することである。」
　
　「【００１４】
【実施例】図１は、本発明の実施例の情報表示装置（ページャ）の回路ブロック図である。本発明のページャは、送信側から送られてくる電波を感知するアンテナ１と、アンテナ１で感知された電波から得られた信号をデジタルコードに変換する受信部２と、自装置のＩＤ情報を記憶するＩＤ−ＲＯＭ４と、受信部２からの変換された信号に含まれる、データの送り先装置を示す宛先ＩＤ情報とＩＤ−ＲＯＭ４に記憶されている自装置のＩＤ情報との照合を行うデコーダ３と、デコーダ３においてＩＤの一致が検出されたデータ及び送信者のメッセージで引用される自作伝言メッセージ等のデータを、引用されたメッセージを表示するか否かを示す非表示フラグと共に記憶するＲＡＭ８と、データの着信を使用者に知らせるスピーカ１０及びＬＥＤ１１と、データを表示する表示部９と、制御部５が実行するプログラムを記憶するＲＯＭ７と、キー入力部６とを有する。また、ページャは、受信したメッセージを無条件に表示するシークレット機能解除状態、あるいは非表示フラグが立てられているメッセージが引用された場合、引用されたメッセージの代わりに所定の表示内容を表示するシークレット機能設定状態のいずれであるかによって表示部９の表示を切り換える制御部５を有する。
【００１５】無線基地局から送信された無線信号はアンテナ１で感知され受信部２で復調され、さらにデコーダ３でディジタルデータに変換され、データの送り先を示す宛先ＩＤ情報と、ＩＤ−ＲＯＭ４に記憶されている自装置のＩＤ情報と照合される。
【００１６】照合の結果、一致していないと判断されると、送信されてきたデータは自分宛でないことになるので、このデータは破棄される。一致が判断されると送信されてきたデータは自分宛であるので、制御部５はデータをＲＡＭ８内に記憶させると共に、使用者にデータの着信を知らせるためにスピーカ１０から呼び出し音を出し、ＬＥＤ１１を点滅させる。
【００１７】制御部５は、ＲＡＭ８に記憶されているデータの設定及び現在、ページャに設定されている情報の表示条件を判断して、これらの設定に合わせて表示部９にデータあるいは所定の表示内容を表示させる。
【００１８】ＲＡＭ８には、ページャの所有者が自分で設定可能な自作伝言メッセージや人の名前とその人の電話番号等のデータがデータバンクとして記憶されており、このデータの中で非表示の設定がなされているデータを特にシークレットデータと呼ぶことにする。データバンクのデータ（引用データ）は送信者がデータバンクのデータの照会データを送信することによって引用することが出来、シークレットデータも、送信者がシークレットデータの照会データを送信することで、表示部９に表示する際に引用することが出来る。
【００１９】本実施例のページャは、データを全て表示するシークレット機能解除状態とデータを非表示状態に設定して表示部９に表示されないようにするシークレット機能設定状態とを、使用者がキー入力部６から設定することが出来るように構成されている。特に、シークレット機能設定状態を解除する場合には、例えばパスワードをキー入力部６から入力して解除するように構成しておき、シークレット機能設定状態が第三者によって容易に解除されないようにしておくのが有効である。
【００２０】シークレット機能設定状態においては、送信者がメッセージを送信する際メッセージの一部として、あるいはメッセージそのものとしてシークレットデータを引用したとき、シークレットデータは表示部９には表示されず、他の所定の表示内容を表示するように構成されている。」
　
　「【００２１】図２は、データバンクの一例として自作伝言メッセージを記憶するＲＡＭ８内の自作伝言メモリのデータ構成を示している。自作伝言メモリには短縮番号、伝言の内容、非表示か否かを示す非表示フラグがそれぞれ対応して記憶されている。伝言の内容は表示部９に表示すべきメッセージあるいはメッセージの一部が記憶されている。短縮番号は伝言の内容を指定する番号であって、送信者は受信者のページャの自作伝言メモリに記憶されている伝言の内容を引用する場合、この短縮番号を指定することによって引用することが出来る。各伝言の内容には短縮番号の他に非表示か否かを示す非表示フラグが対応して設けられている。ページャがシークレット機能設定状態の場合には、この非表示フラグに「１」が立てられていると（データがシークレットデータであると）、対応する伝言の内容は短縮番号で指定されても表示部９には表示されない。これら、自作伝言メモリの内容は、使用者がキー入力部６を操作して自分で設定できるように構成されている。
【００２２】このように、自作伝言メモリ内の各伝言に、送信者からのメッセージによって引用されたとき表示するか非表示にするか非表示フラグを用いて予め指定しておくことにより、第三者には見られたくない内容の伝言がページャに表示されないようにすることが出来る。
【００２３】図２の場合、例えば受信メッセージが“１８：００〕〕０１”というものであったとする。ここで、“〕〕”は短縮番号を指定するコードとし、その右側の“０１”は自作伝言メモリの短縮番号であるとする。この場合、自作伝言メモリの短縮番号１の伝言の内容が参照される。短縮番号１の伝言には非表示フラグに「１」が立てられていないので、ページャがシークレット機能設定状態かシークレット機能解除状態かに係わらず、表示部９には、“１８：００にいつものところで”というような表示がされる。
【００２４】次に、受信メッセージが“１８：００〕〕０２”であった場合には、自作伝言メモリの短縮番号２の伝言内容である“に渋谷ハチ公前で”が参照されるとともに、非表示フラグが参照され、フラグが「１」に立てられていることが検出される。非表示フラグが「１」に立てられている場合には、シークレット機能設定状態では、所定の表示内容が表示部９に表示され、シークレット機能解除状態では、そのままの伝言内容が表示部９に表示される。例えば、伝言内容の代わりに表示される所定の表示内容が“＊＊＊＊＊”であったとすると、ページャがシークレット機能解除状態では“１８：００に渋谷ハチ公前で”が表示され、シークレット機能設定状態では“１８：００＊＊＊＊＊”が表示される。
【００２５】このように、“に渋谷ハチ公前で”が第三者には見られたくない伝言内容であった場合には、予め自分のページャの自作伝言メモリに非表示フラグを設定しておくだけで、これを表示しないで隠す（マスクする）ことができる。
【００２６】なお、上記説明では伝言内容の代わりに表示される所定の表示内容が“＊＊＊＊＊”であるとしたが、この表示内容はこれに限られるものではない。特に、表示部９の表示画面の大きさに合わせて表示する“＊”の数を増減することが考えられ、例えば、“＊”を２４桁表示するようにしてもよい。また、この表示内容を使用者が設定できるようにページャを構成してもよい。
【００２７】また、図２においては、各伝言の内容がシークレットデータであるか否かはフラグによって識別され、シークレットデータでない伝言の内容と共に記憶されている。しかし、シークレットデータの記憶の方法はこれに限られず、例えばシークレットデータ専用のメモリを設けて、表示したくない内容のものは、この専用メモリに記憶するようにしてもよい。」
　
　「【００２８】図３は、制御部５のメッセージ着信時のデータ表示動作を説明するフローチャートである。本図のフローチャートには図示されていないが、制御部５は、送信者からの送信データ（メッセージ）を受け取ると（Ｓ１）、前述したように一旦ＲＡＭ８に記憶させる。そして、このＲＡＭ８から着信メッセージを取り出して以下の処理を行う。
【００２９】まず、この着信メッセージにページャのＲＡＭ８に記憶されているデータバンクのデータを引用する設定がなされているか否かを判断する（Ｓ２）。着信したメッセージがデータバンクのデータを引用しない場合は、着信したメッセージをそのまま表示部９に表示する（Ｓ６）。
【００３０】ステップ２で、着信したメッセージがデータバンクのデータを引用するように設定されている場合は、次に引用されるデータに非表示の設定がなされているか否か（引用されるデータがシークレットデータか否か）を判断する（Ｓ３）。このステップＳ３において、引用するデータがシークレットデータでないと判断された場合は、データバンクのデータを引用したメッセージが表示される（Ｓ６）。
【００３１】ステップ３で、引用されるデータがシークレットデータであると判断された場合は、ページャの現在の状態が判断される（Ｓ４）。すなわち、現在のページャの状態がシークレット機能解除状態か、シークレット機能設定状態のいずれであるかが判断される。シークレット機能解除状態であると判断された場合には、シークレットデータの内容がマスクされることなく表示される（Ｓ６）。
【００３２】他方、シークレット機能設定状態であると判断された場合には、シークレットデータは表示されず、受信メッセージの代わりに所定の表示内容、例えば“＊”を２４桁分表示する（Ｓ５）。
【００３３】図４は、一旦受信したメッセージをＲＡＭ８のメモリーバンクに記憶しておき、後で再度表示させる場合の制御部５の動作フローチャートである。制御部５は、キー入力部６を介して着信したメッセージの再表示の指示をうけると、ＲＡＭ８に記憶されているこれらのメッセージを読み出す（Ｓ１０）。
【００３４】次に、制御部５はページャの状態がシークレット機能解除状態かシークレット機能設定状態かを判断する（Ｓ１１）。メモリーバンクから読み出されたメッセージに非表示設定がなされている場合には、シークレット機能解除状態ではメッセージ内容をマスクせず、メッセージの表示を行い（Ｓ１３）、シークレット機能設定状態ではメッセージ内容はマスクされて、所定の表示内容、例えば２４桁の“＊”を表示する（Ｓ１２）。
【００３５】メモリーバンクから読み出されたメッセージに非表示設定がなされていなかった場合には、このメッセージはメモリーバンクに予め記憶されていた自作伝言等を引用していないことを意味し、メッセージはページャの状態がいずれであるかに係わらず、そのまま表示される（Ｓ１３）。」 
　
　「【００３６】上記説明においては、引用された自作伝言は１つのみで、この伝言がシークレットデータであった場合には、この伝言全体が表示されずに別の予め設定された表示内容が表示される（例えば、“＊”が２４桁表示される）が、この他にも伝言のマスクの仕方には様々な方法が考えられる。
【００３７】例えば、引用される自作伝言などのデータバンクに記憶されているデータは、１つである必要はなく、待ち合わせ場所を指定するデータと待ち合わせ場所の電話番号のデータとを引用しメッセージとするなど、２つ以上のデータを組み合わせて引用し、メッセージとすることも可能である。
【００３８】このような場合、引用されたデータにシークレットデータが含まれていた時、マスクするデータとしては非表示指定がなされていたデータだけをマスクする方法、メッセージ全てをマスクする方法、または、メッセージの中でシークレットデータが現れた時に、それ以降のデータ全てをマスクする方法も可能である。」
　
　「【００３９】
【発明の効果】本発明によれば、非表示の指定されているデータ情報は表示されないので、第三者に個人的なデータ情報を見られることがなく、機密性の高い情報通信に利用することが出来る。また、引用された場合に表示されない非表示データを含む引用データを設けるようにしたので、使用者が第三者に見られたくない引用データを非表示のデータとして予め設定することが可能となり、使用者が自分で自分のプライバシーを守ことができる。さらに、無条件にデータ情報を表示する第１の設定状態と、非表示の指定のあるデータ情報を表示しない第２の設定状態とを設け、非表示のデータが引用されたときに、データ情報を表示させるか、それとも非表示とするかを使用者が選択できるようにしたので、情報表示装置を使用する場面ごとにその機能を使用者が使い分けし、情報表示装置の利用可能性をより高めることができる。」
と記載されている。
　
　即ち、引用文献３には、送信側から送られてきたメッセージを受信側で表示することが出来るページャ等の情報表示装置において、該情報表示装置のＲＡＭには、その情報表示装置の所有者が自分で設定可能な自作伝言メッセージや人の名前とその人の電話番号等のデータをデータバンクとして記憶させることができ、このデータ中で第三者に見られたくないデータについてはシークレットデータとして登録することによって、該情報表示装置がシークレット状態に設定されている場合には、送信者がメッセージを送信する際メッセージの一部として、あるいはメッセージそのものとして該シークレットデータを引用したときには、該シークレットデータを表示部に表示されず、他の所定の表示内容を表示するようにすることによって、送信者側から送られてくる情報を受信者以外の第三者は見ることができないようにしたシークレット機能を有する情報表示装置に関する発明が記載されている（以下、これを「引用発明１」という）。
　
（２）引用文献１（実公平５−３７５７２号公報（実願昭６１−８４５３１号の公告公報））
　引用文献１には、図面と共に、以下のように記載されている。 
　
　「［考案の技術分野］
　この考案は秘密の電話番号などのデータを記憶するシークレットエリアを有するトーンダイヤラに関する。」（第１頁第１欄第２１〜２４行目）
　
　「ところで、このようなトーンダイヤラには、相手方が話中などにより前回と同じダイヤルトーン出力を必要とする場合、ダイヤルトーンを速やかに出力できるようにするため、事前に前回データを他のメモリに記憶しておき、これを読出すことでダイヤルトーンを再出力可能にしたリダイヤル機能を有するものがある。
　ところが、このようなリダイヤル機能は相手が話中で、前回の電話番号をリダイヤルするものとして極めて便利であるが、秘密保持を必要としない電話番号の他に、秘密保持を必要とする電話番号を取扱うものでは、返って不都合となる。つまり、秘密保持を必要とする電話番号を扱うものでは、秘密電話番号などのデータをメモリの特別の領域、例えばシークレットデータエリアなどに記憶しておき、このエリアのデータを特殊なパスワードを用いて読出すことによりダイヤルトーン出力を発生するようになっている。しかし、このような秘密データについてもリダイヤルをできるようにすると、このリダイヤル機能を利用して第３者が不当に秘密を必要とする電話番号に電話を掛けられるようになってしまい、データの秘密性が著しく損われるだけでなく秘密の電話番号を取扱えるトーンダイヤラとしての特徴が半減してしまう欠点があつた。」（第１頁第２欄第７行〜第２頁第３欄第７行目）
　
　「［考案の目的］
　この考案は上記事情に鑑みてなされたもので、秘密データによりダイヤルトーン出力を発生する際には、確実にリダイヤル機能を除去することができ、秘密データの秘密保持を一層確実なものにできるるトーンダイヤラを提供することを目的とする。」（第２頁第３欄第８〜１４行目）
　
　「［考案の実施例］
　以下、この考案の一実施例を図面にしたがい説明する。
　第１図は同実施例の回路構成を示すものである。図において、１はキー入力部で、このキー入力部１はテンキー１ａ、文字記号キー１ｂ、セットモードおよびノーマルモードのモード切換キー１ｃ、データの書込み読出しを指示する「ＴＥＬ」キー１ｄ、秘密モードを指示する「ＳＥＣ」キー１ｅ、入力クリア用の「Ｃ」キー１ｆ、トーン出力を指示する「ＤＩＡＬ」キー１ｇを有している。そして、このキー入力部１でのキー入力データはキー判断部２に与えられ、ここで判断され制御部３および表示バッファ４に送られる。
　制御部３はキー入力部１のキー入力データによりモードフラグ記憶部５およびシークレットフラグ記憶部６にフラグの立ち上げあるいは立ち下げ指令を与える。また、アドレス制御部７に制御指示を与え、このアドレス制御部７によりアドレス制御されるメモリ８に読出し／書込み指令（Ｒ／Ｗ）を与える。さらに、表示バッファ４およびポインタ制御部９に制御指令を与え、リダイヤルデータ記憶部１０に読出し／書込み指令（Ｒ／Ｗ）を与える。
　ここで、メモリ８は秘密を必要としない電話番号データを格納するノーマルエリア８１および秘密を必要とする電話番号データを格納するシークレットエリア８２を有しており、各エリア８１，８２にデータとして文字データ（氏名など）および数字データ（電話番号）を記憶している。そして、表示バッファ４に対してデータを読出すとともに、表示バッファ４からデータが書込まれる。
　表示バッファ４は文字レジスタ４１および数字レジスタ４２を有するもので、キー入力部１あるいはメモリ８からの文字データおよび数字データが書込まれる。この場合、表示バッファ４はポインタ制御部９により書込み、読出し位置が制御される。また、表示バッファ４の内容は表示駆動部１１を介して表示部１２に与えられる。この表示部１２は文字表示部１２１、電話番号表示部１２２および「ＳＥＴ」モード表示部１２３、秘密モード表示部１２４を有している。ここでの「ＳＥＴ」モード表示部１２３はモードフラグ記憶部５のフラグが立てられセットモード指令ＳＥＴが表示駆動部７に与えらた状態で表示され、秘密モード表示部１２４はシークレットフラグ記憶部６のフラグが立てられシークレットモード指令ＳＥＣＲＥＴが表示駆動部７に与えられた状態で表示される。さらに、表示バッファ４の内容はトーン発生部１３およびリダイヤル記憶部１０に送られる。トーン発生部１３は制御部３よりＤＩＡＬ信号が与えられると、電話番号に相当する数字データに応じてトーン出力を発生する。また、リダイヤル記憶部１０はトーン発生部１３側に与えられたと同一のデータを記憶するもので、制御部３の指令により記憶データが読出されトーン発生部１３を介してリダイヤルが出力されるようになっている。
　キー入力部１より入力される秘密データを読出すためのパスワードは制御部３を介してパスワード記憶部１４に記憶される。また、パスワード記憶部１４にパスワードが記憶された状態で、キー入力部１より入力されるパスワードは制御部３を介してパスワード判断部１５に送られる。そして、ここで、パスワード記憶部１４のパスワードと比較され、その結果が制御部３に送られる。」（第２頁第３欄第３２行〜第３頁第５欄第９行目）
　
　「次に、このように構成した実施例の動作を説明する。」（第３頁第５欄第１０〜１１行目）
　
　「ダイヤル出力の場合を第３図に示すフローチャートにより説明する。この場合、キー入力部１の「Ｎ／Ｓ」キー１ｃをノーマルモードに操作する。これにより、モードフラグ記憶部５のフラグが下げられ、今度はノーマルモードに設定される。この場合、制御部３の「ＳＥＴ」指令はなくなり表示部１２の「ＳＥＴ」モード表示部１２３は消灯される。
　そして、ステップＢ１に進む。このステップＢ１においては、キー入力部１での「ＳＥＣ」キー１ｅの操作の有無が判断される。ここで、秘密を必要としない電話番号データを出力する場合はキー操作は行なわれず、ＮＯと判断され、ステップＢ２に進む。このステップＢ２では、キー入力部１の「ＴＥＬ」キー１ｄを操作する。すると、ステップＢ３に示すように、制御部３の読出し指令によりメモリ８のノーマルエリア８１より最初のデータが読出され、表示バッファ４に送られる。この場合、氏名に相当する文字データは文字レジスタ４１、電話番号に相当する数字データは数字レジスタ４２に書込まれる。
　そして、このような最初のデータは表示部１２の文字表示部１２１および電話番号表示部１２２に表示される。ここで、表示部１２に表示されたデータが所望するものでない場合は、ステップＢ４において、再度「ＴＥＬ」キー１ｄを操作する。すると、ＹＥＳと判断され、ステップＢ５に示すようにメモリ８１のノーマルエリア８１より次のデータが読出され、上述同様に表示バッファ４に書込まれた状態で、表示部１２に表示される。
　以下、同様にして表示部１２に表示されたデータが所望するものでない場合は、「ＴＥＬ」キー１ｄを操作することによりメモリ８のノーマルエリア８１より順にデータが読出され、表示部１２に表示されるようになる。
　その後、所望するデータが表示部１２に表示され、「ＴＥＬ」キー１ｄが操作されないと、ステップＢ４でＮＯと判断され、ステップＢ６に進む。ステップＢ６では、トーン出力を指示する「ＤＩＡＬ」キー１ｇの操作の有無が判断される。ここで、「ＤＩＡＬ」キー１ｇも操作されない場合はステップＢ４，Ｂ５，Ｂ６の動作が繰返され、「ＴＥＬ」キー１ｄ，「ＤＩＡＬ」キー１ｇのいずれかが操作されるまで、この状態が保持される。
　その後、ステップＢ６において、「ＤＩＡＬ」キー１ｇの操作が確認されると、ステップＢ７に進む。このステップＢ７では、表示バッファ４の数字レジスタ４２に書込まれた電話番号に相当する数字データが読出され、トーン発生部１３に送られる。すると、トーン発生部１３より数字データに応じたトーン出力が発生される。また、ステップ８に示すようにトーン発生部１３に送られた数字データはリダイヤルデータ記憶部１０に記憶されるようになる。
　ここで、ステップＢ７でのトーン出力に対して相手側が話中のような場合、暫く時間を置いたのち、ステップＢに示すようにキー入力部１の「ＤＩＡＬ」キー１ｇを操作する。すると、ステップＢ１０に示すように制御部３の指令によりリダイヤルデータ記憶部１０よりステップＢ８で記憶したデータが読出され、トーン発生部１３に送られる。これにより、トーン発生部１３より数字データに応じたトーン出力が再度発生される。ここで、リダイヤルデータ記憶部１０に記憶されたデータを消去したい場合には、キー入力部１の「Ｃ」キー１ｆを操作して、表示バッファ４の文字レジスタ４１、数字レジスタ４２をクリアし、無表示状態で「ＤＩＡＬ」キー１ｇを操作すればブランクデータが記憶され、データは強制的にクリアされる。
　次に、ステップＢ１において、秘密を必要とするデータを出力する場合には「ＳＥＣ」キー１ｅのキー操作が行なわれ、ＹＥＳと判断され、ステップＢ１１に進む。このステップＢ１１では、キー入力部１よりパスワードが入力される。そして、ステップＢ１２においてパスワード記憶部１４に既登録されたパスワードとステップＢ１１において入力されたパスワードとの一致が判断される。ここで、両者が一致せず、ＮＯと判断されると、ステップＢ１３においてエラー表示される。また、両者が一致してＹＥＳと判断されると、ステップＢ１４に進む。
　ステツプＢ１４では、制御部３の読出し指令によりメモリ８のシークレットエリア８２より最初の秘密データが読出され、表示バッファ４に送られる。この場合、氏名に相当する文字データは文字レジスタ４１、電話番号に相当する数字データは数字レジスタ４２に書込まれる。
　そして、このような最初の秘密データは表示部１２の文字表示部１２１および電話番号表示部１２２に表示される。ここで、表示部１２に表示されたデータが所望するものでない場合は、ステップＢ１５において、再度「ＴＥＬ」キー１ｄを操作する。すると、ＹＥＳと判断され、ステップＢ１６に示すようにメモリ８のシークレットエリア８２より次のデータが読出され、上述同様に表示バッファ４に書込まれた状態で、表示部１２に表示される。
　以下、同様にして表示部１２に表示されたデータが所望するものでない場合は、「ＴＥＬ」キー１ｄを操作することによりメモリ８のシークレットエリア８２により順にデータが読出され、表示部１２に表示されるようになる。
　その後、所望するデータが表示部１２に表示され、「ＴＥＬ」キー１ｄが操作されないと、ステップＢ１５でＮＯと判断され、ステップＢ１７に進む。ステップＢ１７では、トーン出力を指示する「ＤＩＡＬ」キー１ｇの操作の有無が判断される。ここで、「ＤＩＡＬ」キー１ｇも操作されない場合はステップＢ１５，Ｂ１６，Ｂ１７の動作が繰返され、「ＴＥＬ」キー１ｄ、「ＤＩＡＬ」キー１ｇのいずれかが操作されるまで、この状態が保持される。
　その後、ステップＢ１７において、「ＤＩＡＬ」キー１ｇの操作が確認されると、ステップＢ１８に進む。このステップＢ１８では、表示バッファ４の数字レジスタ４２に書込まれた電話番号に相当する数字データが読出され、トーン発生部１３に送られる。すると、トーン発生部１３より数字データに応じたトーン出力が発生される。そして、ステップＢ１９においてリダイヤルデータ記憶部１０に記憶されている秘密データは強制的にクリアされるようになり、処理を終了する。
　したがって、このようにすればメモリのノーマルデータエリアより読出されるノーマルデータによりダイヤルトーン出力を発生させる場合には、この時のデータをリダイヤルデータ記憶部に記憶して、その後のリダイヤルを可能とし、一方、シークレットデータエリアより読出される秘密データによりダイヤルトーン出力を発生させる場合には、リダイヤルデータ記憶部の内容を強制的にクリアして、その後のリダイヤル動作を阻止するようになっているので、リダイヤル機能を利用して第３者が不当に秘密を必要とする電話番号に電話を掛けられるような不都合を確実になくすことができるようになり、秘密データの秘密保持を一層確実なものにできる。」（第４頁第７欄第４行〜第５頁第１０欄第１３行目）
　
　「［考案の効果］ 
　この考案によれば、メモリのシークレットデータエリアより読出される秘密データによりダイヤルトーン出力を発生する際には、確実にリダイヤル機能を除去することができ、秘密データの秘密保持を一層確実なものにできるるトーンダイヤラを提供できる。」（第５頁第１０欄第１７〜２３行目）
と記載されている。
　
　即ち、引用文献１には、リダイヤル機能と秘密の電話番号などのデータを記憶するシークレットエリアを有するトーンダイヤラにおいて、該トーンダイヤラがシークレットエリアより読み出される秘密データによりダイヤルトーン出力を発生した場合には、リダイヤルデータ記憶部に記憶されている秘密データを強制的に消去することでリダイヤルデータ記憶部に秘密データが残らないようにするようにして、リダイヤル機能を利用して第三者が秘密のデータを知ることができないようしたトーンダイヤラに関する発明が記載されている（以下、これを「引用発明２」いう）。
　
（３）引用文献２（特開平７−３０６３１号公報）
　引用文献２には、図面と共に、以下のように記載されている。
　
　「【０００１】
【産業上の利用分野】本発明は、ダイヤル装置及びダイヤル方法に係り、詳細には、電話機におけるリダイヤル機能にシークレット機能を付加したダイヤル装置及びダイヤル方法に関する。
【０００２】
【従来の技術】近時における電話機には種々の機能が盛り込まれており、その中の１つに電話帳機能と呼ばれる機能がある。
【０００３】電話帳機能とは、予め複数の電話番号を登録しておき、例えば、液晶表示等に、その登録された電話番号の一覧を表示し、一覧の中の所望の電話番号を選択することにより選択した電話番号にダイヤル発呼する機能である。
【０００４】この場合、電話帳に登録されたすべての電話番号が表示されたのでは、プライベートな問題や機密保守の面から好ましくない。
【０００５】そこで、登録された電話番号にそれぞれ機密状態の有無を設定し、機密状態となっている電話番号を選択する場合は、ダイヤル発呼する前に暗証番号の入力を求めるようになっている。
【０００６】
【発明が解決しようとする課題】近時における電話機に一般的に盛り込まれている機能の中に、リダイヤル機能と呼ばれる機能がある。
【０００７】リダイヤル機能とは、例えば、最後に発信した１件分、あるいは最後から数件分の電話番号を記憶しておくことにより、専用のリダイヤルボタンを押せば、再度電話番号を入力しなおすこともなくワンタッチでダイヤル発呼できる便利な機能である。」
　
　「【００１１】本発明は、……その目的は、機密状態登録された電話番号のリダイヤル表示を第三者に見られることなく利用することにある。」
　
　「【００２３】
【作用】本発明によれば、リダイヤル操作が行われる場合、機密状態とするか否かの識別情報に基づいて、登録された電話番号のリダイヤル発信時にそれぞれ再表示の有無が設定されるため、機密状態として登録された電話番号のリダイヤル表示が第三者に見られることなく利用できる。」
　
　「【００２４】
【実施例】以下、図１〜図７を参照して実施例を説明する。
【００２５】図１〜図６は本発明に係るダイヤル装置及びダイヤル方法の一実施例を示す図である。
【００２６】まず、構成を説明する。図１は、本実施例におけるダイヤル装置の要部構成を示すブロック図である。図１において、ダイヤル装置１は、ＣＰＵ２、表示部３、電源部４、発信ＲＡＭ５、受信ＲＡＭ６、電話帳ＲＡＭ７、キー入力部８、ＲＯＭ９、ＲＡＭ１０、回線インターフェース部１１、ハンドセット１２、スピーカ１３、タイマ１４から構成されている。
【００２７】ＣＰＵ２は、後述するＲＯＭ９に格納されたプログラムやデータ等に基づいて、ダイヤル装置１の全体制御を行うためのものである表示部３は、各種情報を外部に視覚として報知するためのものであり、例えば、ＬＣＤ（Liquid Crystal Display：液晶表示装置）により構成されている。この場合、表示部３は、ＬＣＤに限らず、ＣＲＴ（Cathode Ray Tube）やプラズマディスプレイ、ＥＬ（ELectro luminescence）等のような表示装置であっても構わないが、この場合の構成としては、フラットパネルディスプレイにより構成される方が望ましい。
【００２８】電源部４は、ダイヤル装置１内の各部に対して電源電圧を供給するためのものである。
【００２９】発信ＲＡＭ５は、発信した電話番号データを格納するためのメモリであり、受信ＲＡＭ６は、受信すべき電話番号データを格納するためのメモリである。
【００３０】電話帳ＲＡＭ７は、複数の電話番号を登録格納するためのメモリであり、格納されたそれぞれの電話番号に対して機密状態であるか否かを示す識別情報も格納している。
【００３１】キー入力部８は、ダイヤル発信を行うためのキースイッチ、及び、各種装置のためのキースイッチ（リダイヤル操作のためのリダイヤルキーを含む）から構成されている。
【００３２】ＲＯＭ９は、ダイヤル装置１内で利用されるプログラムやデータ等を格納する半導体メモリである。
【００３３】ＲＡＭ１０は、ＣＰＵ２により実行されるプログラム処理においてワークメモリとして利用される半導体メモリである。
【００３４】回線インターフェース部１１は、電話回線に接続されており、ハンドセット１２の上げ下げを検出するフックスイッチ部（図示せず）、通話時に電話回線からの受信信号を音声信号に変換し、送信する音声を送信信号に変換するとともに、電話回線に送信するスピーチネットワーク部（図示せず）、発信の際のトーン信号を出力するＤＴＭＦ（Dual Tone Multi Frequency ）部（図示せず）、電話回線を介して交換機から呼び出し信号を受けるとＣＰＵ２に対して呼び出し検出信号を出力するとともに、スピーカ１３を駆動して呼び出し音を発生するトーンリンガ部（図示せず）等を備えている。
【００３５】ハンドセット１２は、スピーチネットワーク部で変換された受信音声信号を出力する送話用スピーカ１２ａと、音声信号を電気信号に変換し、音声信号とする受話用マイク１２ｂとから構成されている。
【００３６】スピーカ１３は、トーンリンガ部で生成された呼び出し音を再生するためのものである。
【００３７】タイマ１４は、クロックパルスのカウント数に基づいて時間を計測するものであり、ＣＰＵ２はタイマ１４から出力される時間情報を参照することにより種々の制御を行うことができる。」
　
　「【００３８】次に、本実施例の動作を説明する。
【００３９】図２，図３は、本実施例でのダイヤル操作のフローチャートであり、図２は、ＣＰＵ２によるダイヤル処理のフローチャート、図３は、タイマ１４によるタイマ処理のフローチャートである。
【００４０】まず、ダイヤル処理を図２に基づいて説明する。
【００４１】最初に、キー入力部８のダイヤルキーあるいはリダイヤルキーの押下によりダイヤル処理が実行され、電話帳ＲＡＭ７あるいは発信ＲＡＭ５内のダイヤル電話番号の中から所定の電話番号が選択される（ステップＳ１）。
【００４２】次に、上記ステップＳ１の処理で選択された電話番号が、機密状態に設定されたシークレットの電話番号であるか否かが判別され（ステップＳ２）、シークレットであると判断されると、暗証番号の入力が要求され（ステップＳ３）、入力された暗証番号と、選択された電話番号の暗証番号とが一致するか否かが判別される（ステップＳ４）。
【００４３】上記ステップＳ４の処理において、暗証番号が一致しなければ、ダイヤル処理を終了する。一方、上記ステップＳ２の処理において選択された電話番号がシークレットでない電話番号であったり、またはステップＳ４の処理において、入力された暗証番号と、選択された電話番号の暗証番号とが一致する場合には、所定のプロトコルに従い、発信処理が行われ（ステップＳ５）、当該電話番号が発信ＲＡＭ５に記憶されるとともに（ステップＳ６）、電話回線を接続しての通話処理が実行される（ステップＳ７）。
【００４４】そして、上記ステップＳ７での通話処理の後には、終話か否かのチェックが行われ（ステップＳ８）、終話でない場合は上記ステップＳ７の通話処理が実行され、終話となった場合はダイヤル処理を終了する。」
 　 
　「【００４５】次に、タイマ処理を図３に基づいて説明する。
【００４６】タイマ処理は、上記ダイヤル処理でのステップＳ６における処理に対して割込制御により行われるものであり、まず、発信ＲＡＭ５に記憶された電話番号が、機密状態に設定されたシークレットの電話番号であるか否かが判別され（ステップＱ１）、シークレットではないと判断されると処理を終了する。
【００４７】一方、上記ステップＱ１の処理において、シークレットであると判断されると、タイマによる時間計測が開始され（ステップＱ２）、予め設定された所定の時間を経過したか否かがチェックされ（ステップＱ３）、所定時間経過した場合、記憶された電話番号がクリアされる（ステップＱ４）。
【００４８】これによって、リダイヤル操作による機密保持機能がさらに高められる。」
　
　「【００４９】以下、過去５件までリダイヤルすることのできるダイヤル装置１におけるリダイヤル操作について図４〜図６を参照して説明する図４は、過去５件までのダイヤル発信した発信状況を示す図であり、図５は、発信ＲＡＭ５の内容である、図４において発信したダイヤル先の情報を示す図である。
【００５０】また、図６は、図４及び図５に基づいてリダイヤル操作する場合の動作を示す状態遷移図である。
【００５１】すなわち、過去５件の発信状況が図４に示すような場合、リダイヤルキーを順次押していくと、その発信状況が新しい発信順に、表示部３であるＬＣＤに表示されるが、機密状態として登録されて発信された電話番号は、電話番号表示部分が記号（この場合、アスタリスクマーク“＊”）に置換されて表示される（図６中、ａ参照）。
【００５２】ここで、記号に置換されて表示される電話番号に対しては発信することはできない。
【００５３】次に、記号に置換されて表示されている電話番号、つまり、機密状態として使用される電話番号を使用する場合、暗証番号をテンキーから入力することにより（図６中、ｂ，ｂ’参照）暗証番号が一致すると、その記号表示は番号表示に変わり、発信することが可能となる。
【００５４】そして、他の機密状態から発生した記号表示のものも、この１回の動作で、記号表示状態から番号表示状態となり、リダイヤル発信操作を利用することができる（図６中、ｃ，ｃ’参照）。
【００５５】すなわち、過去の発信の順番に関係なく、どの機密状態発信によるリダイヤルの記号表示においても、正しい暗証番号を入力すると、他の機密状態発信の記号表示がすべて番号表示となり、利用することが可能になる。
【００５６】この場合、通話の終了や処理の終了の操作を選択すると、リダイヤルによる表示また初期状態に戻る。」
　
　「【００５７】図７は本発明に係るダイヤル装置及びダイヤル方法の他の実施例を示す図であり、機密状態である電話番号に対するダイヤル操作のフローチャートである。
【００５８】本実施例では、通話の行われた機密状態である電話番号に対してはリダイヤルメモリである発信ＲＡＭ５の登録の対象外とするものである。
【００５９】まず、電話帳ＲＡＭ７内に格納された電話番号の中から所望の電話番号を検索する電話帳操作が行われ（ステップＴ１）、検索によりシークレットとして登録された電話番号が呼び出される（ステップＴ２）。
【００６０】そして、呼び出された電話番号に基づいて発信操作が行われ（ステップＴ３）、その結果、電話回線が接続して通話が行われたか否かがチェックされ（ステップＴ４）、通話が行われた場合、終話操作を経て（ステップＴ５）、ダイヤル操作処理が終了する。
【００６１】一方、上記ステップＴ４の処理において、通話が行われなかった場合、終話操作を経て（ステップＴ６）、当該電話番号がリダイヤルメモリである発信ＲＡＭ５に記憶されて登録される（ステップＴ７）。
【００６２】ここで、リダイヤル操作が実行されると（ステップＴ８）、リダイヤルされる電話番号が発信ＲＡＭ５に登録されてから予め設定された一定時間が経過したか否かが確認され（ステップＴ９）、一定時間が経過していれば、発信ＲＡＭ５に記憶された電話番号が消去され（ステップＴ１０）、処理が終了する。
【００６３】一方、上記ステップＴ９の処理において、リダイヤルされる電話番号が発信ＲＡＭ５に登録されてから一定時間以内にリダイヤルする場合、リダイヤルに基づく発信操作が行われ（ステップＴ１１）、次に、電話回線が接続して通話が行われたか否かがチェックされ（ステップＴ１２）、通話が行われた場合、発信ＲＡＭ５に記憶された電話番号が消去され（ステップＴ１３）、終話操作を経て（ステップＴ１４）、ダイヤル操作処理が終了し、ステップＴ１２の処理において、通話が行われなかった場合、上記ステップＴ６の処理に進む。
【００６４】すなわち、発信して回線が接続されて相手との通話状態になると、その電話番号はリダイヤルメモリである発信ＲＡＭ５には登録されないが、通話したい相手が、例えば、話し中であったりして、通話状態にならなかった場合、初めて発信ＲＡＭ５に登録され、再度リダイヤルすることが可能となる。そして、一定時間、その電話番号に対して発信がないと、自動的に登録された電話番号が消去される。
【００６５】したがって、本実施例では、前述の実施例と比較して、機密保守機能がより高められる。
【００６６】以上説明したように、本実施例では、機密状態から発信したリダイヤルについては暗証番号を利用し、通常は、電話番号の表示を行わないため、機密状態番号を消去するといった面倒な手間をかけることなく、第三者に対する情報の漏洩を防止することができる。
【００６７】なお、上記実施例では、過去５件までリダイヤルすることができるものとして説明しているが、リダイヤルすることのできる件数は任意に設定可能であることは言うまでもない。
【００６８】また、上記実施例では、過去に発信したものに対してリダイヤルするようにしていたが、受信した電話番号を受信ＲＡＭ６に記憶しておき、受信ＲＡＭ６に記憶された電話番号を使ってリダイヤルするものであっても構わない。」
　
　「【００６９】
【発明の効果】本発明によれば、リダイヤル操作を行う場合、機密状態とするか否かの識別情報に基づいて、登録された電話番号のリダイヤル発信時にそれぞれ再表示の有無を設定することにより、機密状態として登録された電話番号のリダイヤル表示を第三者に見られることなく利用することができる。
【００７０】したがって、機密保守を高めることができる。」
と記載されている。
　
　即ち、引用文献２には、電話帳機能及びリダイヤル機能を有する電話機において、電話帳機能には、機密状態の有無を設定でき、機密状態として登録された電話番号のリダイヤル表示を第三者に見られることなく利用できるようにするために、機密状態として登録されている発信先に対するリダイヤルデータを表示させた時には、電話番号表示部分がアスタリスクマーク（＊）等の記号に置き換えられて表示されるので、機密状態として登録された電話番号が第三者に知られることはなく、又、リダイヤルデータとして記憶されているデータの内、機密状態として登録された電話番号情報は、タイマにより所定時間が経過したことが判定されると、該電話番号情報の記憶が消去されるので、機密状態として登録された電話番号が第三者に知られることはないこと、及び、該リダイヤルデータとしては、過去に発信した電話番号情報を用いるもののほかに、受信した電話番号情報を用いてリダイヤルするものでもよいことについての発明が記載されている（以下、これを「引用発明３」という）。
　
５．本願発明２について
（１）対比
　本願発明２と引用発明１とを対比すると、引用発明１の「送信側」，「ＲＡＭ」，「シークレット状態」及び「表示部」はそれぞれ、本願発明の「発信側」，「記憶手段」，「保秘設定モード」及び「表示手段」に対応し、又、引用発明１における情報表示装置は具体的にはページャ等であるが、本願発明２においても、その移動無線端末装置がページャでもよいことは本願明細書の発明の詳細な説明の段落【００８４】に記載されているので、その点で両者に相違はなく、又、引用発明１は本願発明２と同様に、発信側から着信時に通知されたデータの内保秘設定されているデータについては着信側装置の表示手段に当該データに関する表示を禁止しているものである点でも両者は同じであるので、
両者は共に、
　
　通信相手のデータを予め記憶手段に記憶し、該記憶手段に記憶されたデータの内の特定のデータに保秘設定が可能な保秘設定モードを有するとともに、着信時に発信側から通知されたデータを表示する表示手段を有する移動無線端末装置において、発信側から着信時に通知されたデータが前記記憶手段で保秘設定されているか否かを判定する判定手段と、前記判定手段により前記データに保秘設定がなされていると判定された場合は、前記表示手段での当該データに関する表示を禁止する表示制御手段とを具備することを特徴とする移動無線端末装置、
である点では同じである。
　
　ただ、本願発明２においては、「データ」は「通信相手の発番号」であるのに対して、引用発明１における「データ」は、「自分で設定可能な自作伝言メッセージや人の名前とその人の電話番号等のデータ」である点、で両者は相違している。
　
（２）相違点についての当審の判断
　よって上記相違点について判断すると、
　
　本願発明２も引用発明１も共に、通信相手である発信者から通知されたデータが受信者である移動無線端末装置の記憶手段中に記憶しているデータと一致し、かつ、該データに保秘設定がなされているときに、該データの表示をしないようにする点では同じであり、しかも、移動無線端末装置の記憶手段中に記憶されるデータとして自作伝言メッセージのほかに人の名前とその人の電話番号等のデータも含まれることが引用発明１に示されており、又、引用発明２，３には、通常は通信相手の電話番号を記憶手段に記憶し、かつ表示するが、保秘設定モードにおいては、該電話番号を記憶したり表示したりすることを禁止することによって、保秘設定データが第三者に知られないようにしたものが示されているので、通信相手からのデータとして通信相手の発番号を採用して本願発明２のように構成することは当業者が容易に想到し得たことである。。
　
　したがって、本願発明２は、引用発明１に引用発明２，３を適用することによって、当業者が容易に発明をすることができたものと認められる。
　
６．本願発明４について
　本願発明４は、本願発明２を「制御方法」の発明としたものであるので、本願発明２について述べたことがそのまま当てはまる。
　したがって、本願発明４も、引用発明１に引用発明２，３を適用することによって容易に発明できたものである。
　
７．むすび
　以上のとおりであるので、本願請求項２及び４に係る発明は、引用発明１及び引用発明２，３に基づいて当業者が容易に発明をすることができたものであるから、特許法第２９条第２項により、特許を受けることができないものである。
　
　よって、結論のとおり審決する。